(57)【要約】【課題】通常プラスチックを使用せず、屋外使用において早期劣化するポリ乳酸バイオプラスチックで蔓植物の宿り木の役割を担う誘引吸着用に成形使用したバイオタイルを、直接に土中に埋めたり廃棄したりせずに、メッシュフェンス等に懸架して匍匐させたままの状態で経年劣化によって形成された土塊瘤を土の肥料に利用して匍匐及び原料用植物等の育成を行い、環境に全く負荷を与えずに緑化環境創造の有効利用を提供する。【解決手段】植物由来のポリ乳酸バイオプラスチックでメッシュフェンス等に懸架及び壁面に接着使用できるようにした所定の大きさのバイオタイルを射出成形等で形成させ、外部に露出する部分を蔦類の気根が吸着して誘引匍匐しやすいように夫々の方法で粗面状に加工して保水性をもたせ、所定の大きさの金属製のメッシュフェンス横桟に懸架及び壁面に接着させて使用することによって、蔦類等の蔓植物を誘引繁茂させて屋外緑化環境創造材として有効利用する。【選択図】図６
2014183822.tif 000002
【特許請求の範囲】
【請求項１】
バイオタイル有効利用システムにおいて、植物由来のポリ乳酸バイオプラスチックでメッシュフェンス等に懸架して使用できるように所定の大きさに射出成形等で形成させ、外部に露出する表裏両面に水で練ったセメント及び砂等を適当量吹付けて乾燥させ、蔦類の気根が吸着して匍匐しやすいように粗面加工したバイオタイルと、前記タイルが容易に懸架できるようにした所定の大きさの金属製のメッシュフェンスを夫々別設し、前記バイオタイルを前記メッシュフェンスの横桟に懸架させることによって蔦類を誘引繁茂させ、屋外の緑化環境創造材として利用できるようにしたことを特長とするバイオタイル有効利用システム。
【請求項２】
バイオタイル有効利用システムにおいて、植物由来のポリ乳酸バイオプラスチックでメッシュフェンス等に懸架して使用できるように所定の大きさに射出成形等で形成するとき、外部露出部に凹凸状を無数に施して蔦類の気根が吸着して匍匐しやすいように粗面成形したバイオタイルと、前記タイルが容易に懸架できるようにした所定の大きさの金属製のメッシュフェンスを夫々別設し、前記バイオタイルを前記メッシュフェンスの横桟に懸架させることによって蔦類を誘引繁茂させ、屋外の緑化環境創造材として利用できるようにしたことを特長とするバイオタイル有効利用システム。
【請求項３】
バイオタイル有効利用システムにおいて、植物由来のポリ乳酸バイオプラスチックでメッシュフェンス等に懸架して使用できるようにしたバイオタイルにおいて、前記請求項１〜２において射出成形するバイオタイルの懸架部を、いたずらや大風等で容易に脱落しないようにストッパー機能を設けて前記メッシュフェンスの横桟に懸架させることによって蔦類を誘引繁茂させ、屋外の緑化環境創造材として利用できるようにしたことを特長とするバイオタイル有効利用システム。
【請求項４】
バイオタイル有効利用システムにおいて、植物由来のポリ乳酸バイオプラスチックでメッシュフェンス等に懸架して使用できるようにしたバイオタイルにおいて、前記請求項１〜３において射出成形するバイオタイルの内部空胴部に、雨水や散水等の保水部を設けて保水性をもたせるためのスポンジを内包して、前記メッシュフェンスの横桟に懸架させることによって蔦類を誘引繁茂させ、屋外の緑化環境創造材として利用できるようにしたことを特長とするバイオタイル有効利用システム。
【請求項５】
バイオタイル有効利用システムにおいて、植物由来のポリ乳酸バイオプラスチックでメッシュフェンス等に懸架して使用できるようにしたバイオタイルにおいて、前記請求項１〜４において形成懸架使用するバイオタイル裏面懸架部に接着剤やモルタル等を塗布して、外装タイル壁面やコンクリート擁壁面等に接着させて使用することによって誘引しにくかった蔦類の気根を吸着させて誘引繁茂させ、屋外の緑化環境創造材として利用できるようにしたことを特長とするバイオタイル有効利用システム。
【請求項６】
バイオタイル有効利用システムにおいて、植物由来のポリ乳酸バイオプラスチックでメッシュフェンス等に懸架して使用できるようにしたバイオタイルにおいて、前記請求項１〜５において形成及び懸架や接着で使用したバイオタイルに蔦類を誘引繁茂させ、宿り木の役割を担わせて屋外の緑化環境創造材として利用する期間において、前記バイオタイルの経年劣化現象が発生したときは地上に落下することなく、メッシュフェンスに懸架した状態でバイオタイル劣化体全体が蔦類等の枯葉屑、毛根屑、スポンジ屑等と夫々に絡み合って土塊瘤を形成してこびりつき、前記バイオタイルの残渣微生物含有の土塊瘤を蔓茎から取り除いて土中に埋め、匍匐植物の育成を助ける役割を担わせて、環境に全く負荷を与えずに屋外の緑化環境創造材として利用できるようにしたことを特長とするバイオタイル有効利用システム。
【発明の詳細な説明】
【技術分野】
【０００１】本発明は、バイオタイル有効利用システム分野に関するものである。
【背景技術】
【０００２】本発明で使用のポリ乳酸生分解性プラスチックは、トウモロコシやジャガイモ等からとれる澱粉や、サトウキビからとれるしょう糖から得られるポリ乳酸を原料とした植物由来のバイオプラスチックで、屋外の高温・高湿度の環境下で劣化し、土中に埋めるとリパーゼ等の分解菌微生物の働きで原形を失い、最終的に水と二酸化炭素に分解される性質をもっている。【０００３】主な成分には、ポリ乳酸のほかポリカプロラクトン、ポリヒドロキシアルカノエート、ポリグリコール酸、変性ポリビニルアルコール、変性澱粉などがある。【０００４】主な用途には、フィルムやシートを利用したゴミ袋やコンポストバック、容器類、ペットボトル、コップ、スプーン、ホーク、エンジニアリングプラスチック、土のうや苗用ポット、ゴルフティー、エアガン用弾丸などがあるが、屋外用常設製品は未開発で公開特許公報は開示されていない。【０００５】また、バイオプラスチックには前記した完全生分解性プラスチックのほかに、生分解性原料と通常のプラスチックとを混合した部分生分解性プラスチックの二種類がある。【０００６】しかし、後者の部分生分解性プラスチックは完全に分解されず、分解後は微細な通常プラスチック粉末が残渣する欠点がある。【０００７】然るに、本発明のバイオタイルの原材料には、分解後において環境への影響を全く及ぼさない前者の完全生分解性プラスチックを使用している。
【発明の概要】
【発明が解決しようとする課題】
【０００８】本発明は、焼却廃棄処分によって地球温暖化の要因になる通常プラスチックを用いず、早期に劣化するポリ乳酸分解性バイオプラスチックを、敢えて屋外の苛酷の条件下で使用してデメリットをメリットに変える成果を得る逆手発想によってバイオタイルを製造し、緑化利用した劣化後の最終処分を直接土中に埋めたり廃棄したりせずに、金属製のメッシュフェンス等に懸架及び壁面に接着したやどり木の状態で、経年劣化後に発生の微生物含有土塊瘤を除去して土の肥料として利用し、蔓性匍匐植物及び原料植物の育成を助ける役割を担わせて、最終的には無害の水と二酸化炭素に分解させる循環サイクルで、環境に全く負荷を与えずにフェンス等の利用による屋外環境緑化システムの有効利用を提供することを目的としたものである。
【課題を解決するための手段】
【０００９】上記課題を解決するための手段として、請求項１記載の発明は、植物由来のポリ乳酸バイオプラスチックでメッシュフェンス等に懸架して使用できるように所定の大きさに射出成形等で形成させ、外部に露出する表裏両面に水で練ったセメント及び砂等を適当量吹付けて乾燥させ、蔦類の気根が吸着して匍匐しやすいように粗面加工したバイオタイルと、前記タイルが容易に懸架できるようにした所定の大きさの金属製のメッシュフェンスを夫々別設し、前記バイオタイルを前記メッシュフェンスの横桟に懸架させることによって蔦類を誘引繁茂させ、屋外の緑化環境創造材として利用できるようにしたことを特長とするバタイル有効利用システムである。【００１０】上記課題を解決するための手段として請求項２記載の発明は、植物由来のポリ乳酸バイオプラスチックでメッシュフェンス等に懸架して使用できるように所定の大きさに射出成形等で形成させるとき、外部露出両面部に凹凸状を無数に施して蔦類の気根が吸着して匍匐しやすいように粗面成形したバイオタイルと、前記タイルが容易に懸架できるようにした所定の大きさの金属製のメッシュフェンスを夫々別設し、前記バイオタイルを前記メッシュフェンスの横桟に懸架させることによって蔦類を誘引繁茂させ、屋外の緑化環境創造材として利用できるようにしたことを特長とするバイオタイル有効利用システムである。【００１１】上記課題を解決するための手段として請求項３記載の発明は、植物由来のポリ乳酸バイオプラスチックでメッシュフェンス等に懸架して使用できるようにしたバイオタイルにおいて、前記請求項１〜２において射出成形するバイオタイルの懸架部をいたずらや大風等で容易に脱落しないようにストッパー機能を設けて前記メッシュフェンスの横桟に懸架させることによって蔦類を誘引繁茂させ、屋外の緑化環境創造材として利用できるようにしたことを特長とするバイオタイル有効利用システムである。【００１２】上記課題を解決するための手段として請求項４記載の発明は、植物由来のポリ乳酸バイオプラスチックでメッシュフェンス等に懸架して使用できるようにしたバイオタイルにおいて、前記請求項１〜３において射出成形等で形成するバイオタイルの内部空胴部に、雨水や散水等の保水部を設けて保水性をもたせるためのスポンジを内包して、前記メッシュフェンスの横桟に懸架させることによって蔦類を誘引繁茂させ、屋外の緑化環境創造材として利用できるようにしたことを特長とするバイオタイル有効利用システムである。【００１３】上記課題を解決するための手段として請求項５記載の発明は、植物由来のポリ乳酸バイオプラスチックでメッシュフェンス等に懸架して使用できるようにしたバイオタイルにおいて、前記請求項１〜４において形成懸架使用するバイオタイル裏面懸架部に接着剤やモルタル等を塗布して、外装タイル壁面やコンクリート擁壁面等に接着させて使用することによって誘引しにくかった蔦類の気根を吸着させて誘引繁茂させ、屋外の緑化環境創造材として利用できるようにしたことを特長とするバイオタイル有効利用システムである。【００１４】上記課題を解決するための手段として請求項６記載の発明は、植物由来のポリ乳酸バイオプラスチックでメッシュフェンス等に懸架して使用できるようにしたバイオタイルにおいて、前記請求項１〜５において形成及び懸架や接着剤で使用したバイオタイルに蔦類を誘引繁茂させて宿り木の役割を担わせて、屋外の緑化環境創造材として利用する期間において、前記バイオタイルの経年劣化現象が発生したときは地上に落下することなく、メッシュフェンスに懸架した状態でバイオタイル劣化体全体が蔦類等の枯葉屑、毛根屑、スポンジ屑等と夫々に絡み合って土塊を形成してこびりつき、前記バイオタイルの残渣微生物含有の土塊瘤を蔓茎から取り除いて土中に埋め、匍匐植物及び原料植物の育成を助ける役割を担わせて、環境に全く負荷を与えずに屋外の緑化環境創造材として利用できるようにしたことを特長とするバイオタイル有効利用システムである。
【発明の効果】
【００１５】請求項１に記載の発明は、植物由来のポリ乳酸原料をもとにしたバイオプラスチックで製造したペレットを、メッシュフェンス等に懸架して使用できるように所定の大きさのバイオタイルに形成させるため、射出成形機等で形成させた後、外部露出部表裏に水で練ったセメント及び砂等を適当量スプレーガンで吹付けて乾燥させることによって、外部露出部表裏が凹凸状の粗面になりメッシュフェンス等に懸架して使用したとき、蔦類の気根盤を吸着させて発根しやすくし、不可能であったフェンスへの誘引をレンガやブロック塀等への誘引匍匐状態と同様に繁茂させ、屋外の苛酷の条件下では常設使用できなかったバイオプラスチックを、緑化環境創造材として屋外で有効利用できる利点を有している。【００１６】請求項２記載の発明は、射出成形用の金型製作時において、外部露出面に凹凸状の粗面を無数に施して成形したバイオタイルを形成させることによってメッシュフェンス等に懸架して使用したとき、前記請求項１記載と同様に凹凸状の露出面に蔦類の気根盤を吸着しやすくし、合成樹脂塗料凹凸状吹付け壁面に蔦類誘引匍匐状態と同様に繁茂させ、屋外の苛酷の条件下では常設使用できなかったバイオプラスチックを、緑化環境創造材として屋外で有効利用できる利点を有している。【００１７】請求項３記載の発明は、射出成形用の金型製作時において、メッシュフェンス等に懸架して使用したとき、いたずらや大風等で容易に脱落しないようにバイオタイルの内側にストッパー部を設けて、懸架時には容易に作業できることと、いたずらや大風には容易に脱落しないような機能をもたせた金型で射出成形するため、メッシュフェンス等に懸架させて使用したとき画一的なモザイク模様を描きながら蔦類をアート感覚で誘引繁茂させ、屋外緑化環境創造材として有効に利用できる利点を有している。【００１８】請求項４記載の発明は、射出成形等により形成されたバイオタイルの内部空胴部に、雨水や散水等の保水部を設けて保水性をもたせる目的でスポンジを内包してメッシュフェンス等の横桟に懸架させることにより、スポンジの保水性と毛細管揚水現象機能を発揮させ、バイオタイルに誘引して吸着した気根に水分を補給して蔦類匍匐繁茂を助けるとともに、輻射熱を下げてヒートアイランド現象を緩和させる効果と、屋外の緑化環境創造材として有効に利用できる利点を有している。【００１９】請求項５記載の発明は、射出成形等により形成されたバイオタイルの裏面懸架部に接着剤やモルタル等を塗布して、蔦類が這い上りにくい滑面状の外装タイルの壁面やコンクリート擁壁面等の適当個所に接着させて使用することによって蔦類を誘引繁茂させ、屋外の緑化環境創造材として有効利用できる利点を有している。【００２０】請求項６記載の発明は、メッシュフェンス等に懸架して使用及び壁面に接着して使用するバイオタイルにおいて、バイオタイルに蔦類を誘引繁茂させ宿り木の役割を担わさせて屋外の緑化環境創造材として利用する期間において、バイオタイルの経年劣化現象の発生により地上に落下せず、メッシュフェンスに懸架したまま及び壁面に接着したままの状態でバイオタイル劣化体が蔦類等の枯葉屑、毛根屑、スポンジ屑等と夫々に絡み合って土塊を形成し、バイオタイル劣化体残渣に含有する微生物と共にフェンス懸架及び壁面にこびりついたままの土塊瘤を指で除去して土中に埋めて植物の肥料として循環利用し、最終的には水と二酸化炭素に完全に分解させ、人体にも屋外環境にも全く負荷を与えることなく、屋外の緑化環境創造材として有効利用できる利点を有している。
【図面の簡単な説明】
【００２１】
【図１】本発明バイオタイル有効利用システムにおいて形成された蔦植物類誘引吸着と匍匐機能を有するバイオタイルをメッシュフェンスの横桟に懸架した状態を示す正面図である。
【００２２】
【図２】図１のバイオタイルの空胴部にスポンジを内包させてメッシュフェンス横桟に懸架した状態を示す縦断面図である。
【００２３】
【図３】図１のメッシュフェンス横桟に懸架させたバイオタイル表面露出部に蔦の気根が誘引吸着繁茂させ宿り木の役割を担わせた状態を示す斜視図である。
【００２４】
【図４】図３のバイオタイルが蔦を誘引繁茂期間中に経年劣化によって土塊瘤を形成させて行く状態を示す斜視図である。
【００２５】
【図５】本発明のバイオタイル原料が植物から生まれ、バイオタイルで緑を蘇らせた後再び植物を育てる肥料になる全貌を示す循環サイクルフロー図である。
【００２６】
【図６】本発明のバイオタイルが形成されるまでの工程と、前記バイオタイルが担う役割全体のシステムをフローチャート化した図である。
【００２７】
【図７】メッシュフェンス５０×５０ミリドットに図１のバイオタイルを懸架して蔦のモザイク画を形成させながら蔦植物を這わせた正面図である。
【００２８】
【図８】同メッシュフェンスに同バイオタイルでレンガ模様を描いて蔦植物を這わせた正面図である。
【００２９】
【図９】メッシュフェンス５０×１００ミリドットを横位置に使用して同バイオタイルを懸架して蔦を模したモザイク画を描いた植物誘引前の状態を示す正面図である。
【００３０】
【図１０】同メッシュフェンスに同バイオタイルを懸架してレンガを模したモザイク画を描いた植物誘引前の状態を示す正面図である。
【００３１】
【図１１】図７で形成させたメッシュフェンスをベランダ等の手摺等に取付けて、蔦植物を這わせてベランダガーデニングに利用の状態を示す斜視図である。
【００３２】
【図１２】前記メッシュフェンスを屋外の外柵フェンスに利用し、蔦植物等を這わせて屋外の緑化環境を創造させた状態を示す斜視図である。
【００３３】
【図１３】メッシュフェンス５０×５０ミリドットを金属フレームで囲んだパネルを製作してパーティションに利用、室内と屋外の双方に使用できる状態を示す正面図である。
【００３４】
【図１４】図１のバイオタイルを外装タイル等の滑面部に接着剤等で接着して蔦類等を誘引させて、屋外の緑化環境の創造状態を示す斜視図である。
【発明を実施するための形態】
【００３５】本発明の請求項１〜６記載の発明の実施形態は、一部共通する部分があるので図６に記載した利用システムのフローチャートに基づいて以下のとおり説明する。
【００３６】本発明に使用するバイオタイルａは、植物由来の生分解性ポリ乳酸バイオプラスチックで射出成形等で形成させる。
【００３７】前記の生分解性バイオプラスチックのペレットｐの原料成分には、例えば、ポリ乳酸、ポリヒドロキシアルカノエート、ポリカプロラクトン、ポリグリコール酸、変性ポリビニルアルコール、変性澱粉、カゼイン等があるが、本発明にはポリ乳酸を使用する。
【００３８】そして、バイオタイルの完成色を選択し、着色顔料等を混合のうえ射出成形等で所定の形状のポリ乳酸生分解性のバイオタイルａを形成させる。
【００３９】つぎに、バイオタイルａの表面露出部１の加工について述べる。
【００４０】請求項１の発明は、蔦類ｇは吸盤のある巻きひげや気根ｆを伸ばして粗面状の被体に吸着して成長する性質があり、フェンス等の表面が滑面状の被体には吸着しない性質がある。
【００４１】そのため、射出成形等で形成したバイオタイルａの表面部１に、適当量の水で混練したセメント及び砂ｓ等を適当量ガンで吹付けて乾燥させ凹凸状ｍの粗面加工することにより、蔦類ｇの気根ｆの吸着が容易になる。
【００４２】請求項２の発明は、バイオタイルａの表面部１に無数の凹凸状ｍを施した金形ｋによって射出成形等で形成したバイオタイルａを使用することにより、前記と同様に蔦類ｇの気根ｆの吸着が容易になる。
【００４３】さらに、バイオタイルａの凹凸状ｍに形成した表面部１をサンドペーパーで粗面に加工することにより、気根ｆの吸着効果を高めることができる。
【００４４】前記したバイオタイルａのセメント吹付けｓ及び凹凸状ｍ成形は、蔦類ｇの種類や気根ｆの吸着性質によって選択して使用することができる。
【００４５】つぎに、バイオタイルａの形状について詳細に述べる。
【００４６】請求項３の発明は、バイオタイルａをメッシュフェンスの横桟５に懸架するとき、開閉部ｂを指で内側に押し込むようにして横桟に引っかけ、指を離せば懸架部ｃに固定できるようにする。
【００４７】さらに、懸架後にいたずらや大風等で脱落しないように、バイオタイルａの内側に、ストッパー部ｄを設ける。
【００４８】そして、バイオタイルａをメッシュフェンス４の横桟５に懸架後において、下方に強く引っ張るとストッパー部ｄが作用して容易に脱落しなくなる機能がある。
【００４９】さらに、バイオタイルａの最下部底面に保水部７を設け、雨水や散水等を貯水できるようにする。
【００５０】請求項４の発明は、バイオタイルａの左右貫通空胴部に水で濡らしたスポンジｅを挿入させておく。
【００５１】前記によって蔦類ｇを植栽ｈしたとき、蔓ｊが伸長してバイオタイルａの両脇から巻きひげや気根ｆが保水部７から水分を補給して成長できる効果がある。
【００５２】そして、保水部７は雨水や散水の補給によって常にスポンジｅの保水が得られると共に、毛細管揚水現象機能発揮により気根ｆへの水分補給の役割を担える。
【００５３】さらに、バイオタイルａの経年劣化後もスポンジｅは、残渣固体物の劣化土塊瘤ｒを形成して保水や気根ｆ吸着作用を継続する利点がある。
【００５４】また、バイオタイルａが保水力をもつことによって繁茂した蔦類ｇは、匍匐緑化により輻射熱を低下させるためヒートアイランド現象の緩和効果を発揮する。
【００５５】そして、具体的な匍匐緑化の実施形態は、図７及び図８で示すような単体を図１１で示すようにベランダで使用したり、図１２で示すように外柵フェンスとして連続使用することによって緑化を促進させて行くことが可能になる。
【００５６】請求項５記載の発明は、バイオタイルａをメッシュフェンス４に懸架して使用する他に、壁面６に、接着して使用することができる。
【００５７】壁面接着方法は、バイオタイルａの裏面部６の開閉部ｂに接着剤を塗布又は耐水性の両面テープを貼って壁面６に接着させる。
【００５８】コンクリート擁壁面には据付けモルタルで接着することが可能である。
【００５９】また、図１４で示すように、外装タイル１３等の滑面状の壁面６に接着させる場合は、接着剤を直かに塗布して接着するが、タイル面を汚したくない場合は、のり付きの屋外用マーキングフィルム（カッティングシート）をバイオタイルａの大きさにカットして貼り、その表面にバイオタイルａを接着させることができる。
【００６０】そして、マーキングフィルムの剥がし後の汚れは市販の除去剤でとり除くことができる。
【００６１】また、壁面部６への接着のコツは、バイオタイルａをいきなり接着せず、余めレイアウト画を作成しておき壁面６に目印を付けて行うようにする。
【００６２】さらに、屋外の木製壁面に接着させる場合は、透明ビニールシートをホッチキスで固定しておき、シートの表面にバイオタイルａを接着させて使用し、匍匐植物を撤去するときはシートごと引っ張ると木製壁面に傷をつけずに取り除くことができる。
【００６３】また、前記した方法は屋外に限らず室内の壁面に使用することができるので、ＬＥＤ照光１７によって室内のグリーンインテリアが楽しめる。
【００６４】つぎに、バイオタイルａの劣化と劣化後の機能について説明する。
【００６５】請求項６記載の発明は、前記したバイオプラスチックｄを屋外の過酷の条件下で使用したとき、劣化に至る期間は概ね数ヶ月から数年かかる。
【００６６】劣化する形態はさまざまで、加工方法や使用場所等によってひび割れや収縮等に形状を変化させることが実証されているが、土中８に埋めない限り全ての原形は失われない。
【００６７】そして、土中８に埋めた場合でも、原形を失って分解されるまでの期間は概ね２年から５年が必要であると云われている。
【００６８】しかし、本発明は劣化することを欠点とするのではなく利点として捉らえ、劣化によって生じる収縮作用やひび割れにより土塊瘤ｒを形成させる目的があるために、敢えてメッシュフェンス４等に懸架して、屋外の苛酷の条件下で使用することにしている。
【００６９】しかるに、その作用は図３で示すように、蔦類ｇの蔓ｊ誘引繁茂後に役割を果たしたバイオタイルａは、落下せずにメッシュフェンス４等に懸架した状態で劣化し、劣化後においてさらに伸長してきた気根ｆを吸着させる働きがある。
【００７０】そして、この作用は図１４の外装タイル１３やコンクリート擁壁等の壁面部６使用でも同様の成果を得られる。
【００７１】さらに、最終的な役割を終えた劣化土塊瘤ｒを指でつまんで土中８に埋めれば、残渣微生物の作用で植物の肥料の役割を担いながらやがて水と二酸化炭素９に分解されて本発明システムの目的が達成できる。
【００７２】つぎに、蔦類ｇ等の植栽実施形態について述べる。
【００７３】本発明に実施する蔦類ｇの苗は、鉢植えや直植えで使用するが、茎が柔かいため、茎が伸びるまで柔かいひもで軽くメッシュフェンス４や支柱に結束しておき、バイオタイルａに巻きひげや気根ｆが吸着しやすくする状況をつくる必要がある。
【００７４】そして、直植えの場合は用土を選ばないが、鉢植えの場合は市販の園芸用土を使用する。
【００７５】そして、直植えはよく砕土して堆肥や鶏糞をすきこみ植え付け後は十分にかん水をする。
【００７６】管理と手入れは、伸びすぎた蔓ｊを剪定する程度でよい。
【００７７】施肥は、ときどき鶏糞や化成肥料を根元にバラまく程度でよいが、蔦類ｇは窒素肥料は禁物で、落葉種の場合は秋の紅葉が鮮かにならない欠点がある。
【００７８】病害虫は、６〜７月にスズメガの幼虫が発生することがあるので、マラソン乳液等を塗布して駆除する必要がある。
【００７９】そして、殖やし方は萌芽する前の３月上旬〜４月中旬に人差し指の太さ程度の蔓ｊを１５センチくらい剪定し、さし床をつくって発根させるか、バイオタイルａの劣化後形成される土塊瘤ｒの発根ごと切り取って鉢植えを行う。
【００８０】つぎに、バイオタイルに吸着させて使用する木本類等の蔓性植物ｊについて説明する。
【００８１】蔓性植物ｊには、本発明に使用の落葉性のナツヅタを始めとし、葉に黄斑のあるキフナヅタがある。
【００８２】さらに、常緑性で別名イングリッシュアイビーといわれるセイヨウキヅタ、フクリンキヅタ、アメリカヅタ、フユヅタ、キヅタなど、ヨーロッパやアメリカ、北アフリカ、西アジア原産の斑入りや葉形の変化した品種など数多くある。
【００８３】また、蔦ｇ以外の常緑の蔓性植物ｊには、ヘデラ類、イタビカズラ、ツルマサキ、テイカカズラがあり、落葉性にはツルアジサイ、ノウゼンカズラなどがある。
【００８４】さらに、巻き蔓性ｊには常緑性のジャスミン、サネカズラ、スイガズラ、ツキヌキニンドウ、ツルニチニチソウ、ムベなどがあり、落葉性にはアケビ、クズ、クレマチス、ツルウメモドキ、ツルバラ、フジなどあるが気根の吸着しないものは横桟等に巻き付ける。
【００８５】従って、バイオタイルａにより緑化を創造させる手段を、花で楽しむのか、緑の葉を匍匐させて楽しむのか、紅葉を楽しむのかなどを選択することができる。
【産業上の利用の可能性】
【００８６】本発明のバイオタイル有効利用システムは、フェンス産業、エクステリア産業、園芸、造園等のガーデン産業、ホームセンター等のＤＩＹ産業上の利用の可能性があり、夫々の可能性について以下のとおり説明する。
【００８７】まず、メッシュフェンス等の製造販売業のフェンス産業上の利用の可能性を考察すると、フェンスは安全、防衛、防犯等のセキュリティーの目的に利用している。
【００８８】そのため、セキュリティーへの課題は解決することができても、景観面から捉えると無味乾燥として面白味や味わいのない画一的な景観に変貌させている。
【００８９】さらに、素材の耐久性を重視してステンレスを用いるケースでは高価になることや、厳めしさをさらに増幅させる結果になっている。
【００９０】しかし、メッシュフェンスを利用するバイオタイル有効利用システムは、セキュリティーの役割を担いながら緑を匍匐させて緑化環境を創造させる一石二鳥の効果が叶えられるため、緑化型フェンスとしての評価によってパブリックの需要を大幅に増大させることができる。
【００９１】つぎに、エクステリア産業上の利用の可能性を考察すると、エクステリアは外構、外柵の総称といわれるように、コンクリートブロックやフェンスを多用して外まわりを囲う習性を定着させた産業であるともいわれる。
【００９２】したがって、居住エリアはまたたく間にブロック塀や画一的なフェンスで囲われ、閉鎖的な住環境に変貌してしまった。
【００９３】また、地震によるブロック塀の倒壊事故が多発し、生命の安全を脅かす要因にもなっている。
【００９４】さらに、非天然素材製品の乱用や、色彩の多用等によって緑が喪失されてけばけばしさを増し、景観阻害の大きな要因となっている。
【００９５】一方、園芸、造園等のガーデン産業上の利用も、ランドスケープ創造を担う役割がありながらエクステリア産業と同様に従来どおりの庭づくりに固執する傾向が強く、緑化に関する差別化した対応がされないままになっている。
【００９６】また、自治体において生け垣緑化を推進しているが、ガーデン産業との連携が不十分のケースが多く、達成されないままになっている。
【００９７】しかし、前記した両産業が発想を転換させて本発明のバイオタイル有効利用システムを一体となって取り組むことにより、閉鎖的な居住環境がまたたく間に開放的に蘇生され、緑を重視したアメニティーな緑化環境の実現に伴って低迷している産業に活力を与える契機になるはずである。
【００９８】他方、ＤＩＹ産業上の利用も、本発明のバイオタイル有効利用システムをガーデニング等にとり入れることによってマイホームの緑化を手づくりで実現させることが可能になる。
【００９９】そして、ＤＩＹｅｒが本発明製品の懸け橋の役割を担って、居住環境の緑化創造を実現させることができる。
【０１００】また、上記産業界等によって本発明のバイオタイルの需要喚起により、従来、屋外製品では未利用であったバイオプラスチックの新しい用途が拡大できるため、生分解性乳酸バイオプラスチック製品の開発産業界への福音をもたらすことができる。
【符号の説明】
【０１０１】  ａ    バイオタイル
ｂ    開閉部
ｃ    懸架部
ｄ    ストッパー
ｅ    スポンジ
ｆ    気根
ｇ    蔦
ｈ    植栽
ｊ    蔓
ｋ    金型
ｍ    凹凸状
ｐ    ペレット
ｒ    劣化土塊瘤
ｓ    セメント及び砂吹付け
１    表面部
２    裏面部
３    空胴部
４    メッシュフェンス
５    横桟
６    壁面部
７    保水部
８    土中
９    最終物質
１０    手摺
１１    外柵フェンス
１２    コンクリートブロック
１３    外装タイル
１４    メッシュフェンスパネル
１５    パーティション
１６    支柱
１７    ＬＥＤ照明
１８    植木鉢
１９    ガーディニング用品
２０    ハンギングプランター
【図１】
2014183822.tif 000003
【図２】
2014183822.tif 000004
【図３】
2014183822.tif 000005
【図４】
2014183822.tif 000006
【図５】
2014183822.tif 000007
【図６】
2014183822.tif 000008
【図７】
2014183822.tif 000009
【図８】
2014183822.tif 000010
【図９】
2014183822.tif 000011
【図１０】
2014183822.tif 000012
【図１１】
2014183822.tif 000013
【図１２】
2014183822.tif 000014
【図１３】
2014183822.tif 000015
【図１４】
2014183822.tif 000016